(57)【要約】【課題】安全かつ確実に外部機器に対して生体情報を送信するための技術を提供する。【解決手段】生体情報計測装置は、生体情報を計測する生体情報計測手段と、計測された生体情報を記憶する記憶手段と、記憶手段に記憶されている生体情報を外部機器に対して送信する通信手段と、未送信の生体情報が存在することを示す未送信サインを表示するための表示手段と、ユーザの操作を受け付ける操作手段と、制御手段と、を備える。制御手段は、生体情報計測手段による計測が行われ記憶手段に新たな生体情報が追加された場合に未送信サインを表示し、ユーザにより所定のクリア操作が行われた場合にのみ未送信サインの表示を消す。【選択図】図７
2010005276.tif 000002
【特許請求の範囲】
【請求項１】
生体情報を計測する生体情報計測手段と、
前記生体情報計測手段によって計測された生体情報を記憶する記憶手段と、
前記記憶手段に記憶されている生体情報を外部機器に対して送信する通信手段と、
未送信の生体情報が存在することを示す未送信サインを表示するための表示手段と、
ユーザの操作を受け付ける操作手段と、
制御手段と、を備え、
前記制御手段は、
前記生体情報計測手段による計測が行われ前記記憶手段に新たな生体情報が追加された場合に前記未送信サインを表示し、
ユーザにより所定のクリア操作が行われた場合にのみ前記未送信サインの表示を消すことを特徴とする生体情報計測装置。
【請求項２】
前記通信手段は、所定のタイムアウト期間のあいだ前記生体情報を繰り返し送信するものであり、
前記所定のクリア操作は、前記所定のタイムアウト期間が経過する前に前記操作手段がユーザにより操作されることであることを特徴とする請求項１に記載の生体情報計測装置。
【請求項３】
前記所定のクリア操作は、前記所定のタイムアウト期間の経過前に前記生体情報の繰り返し送信を終了するための操作を兼ねていることを特徴とする請求項２に記載の生体情報計測装置。
【請求項４】
前記制御手段は、ユーザにより所定の削除操作が行われた場合にのみ前記記憶手段に記憶されている生体情報を削除することを特徴とする請求項１〜３のいずれかに記載の生体情報計測装置。
【請求項５】
前記制御手段は、前記未送信サインの表示が消された後のみ前記所定の削除操作を受け付けることを特徴とする請求項４に記載の生体情報計測装置。
【請求項６】
前記記憶手段は、Ｎ回（Ｎは１より大きい整数）の計測の生体情報を記憶可能であり、
前記通信手段は、各生体情報が未送信か否かにかかわらず、毎回、前記記憶手段に記憶されているＮ回の計測の生体情報を送信することを特徴とする請求項１〜５のいずれかに記載の生体情報計測装置。
【請求項７】
前記通信手段は、前記生体情報の送信処理の状況を示すステイタス情報を前記外部機器に対して送信し、前記外部機器を介して前記送信処理の状況をユーザに報知することを特徴とする請求項１〜６のいずれかに記載の生体情報計測装置。
【発明の詳細な説明】
【技術分野】
【０００１】
本発明は、生体情報の計測、記録、および外部機器への送信が可能な生体情報計測装置に関する。
【背景技術】
【０００２】
人体から生体情報を計測し記録する装置としては、たとえば、体重計、体組成計、体重体組成計、血圧計、血糖計などが知られている。従来、これらの計測装置はスタンドアローンで用いられるのが一般的であったが、今後は、各種計測装置で得られた生体情報を外部機器（携帯電話やパソコンなど）に転送し、この外部機器上あるいはネットワーク上で生体情報の管理や加工を行う、といった利用形態が増加するものと予想される。そこで、計測装置から外部機器に対して生体情報を安全かつ確実に転送するための技術が必要となる。
【０００３】
機器間通信の従来技術として、特許文献１には、デジタルカメラで撮影した画像データを携帯電話等の通信端末を介してサーバに転送するデータ転送システムが開示されている。このシステムは、デジタルカメラのメモリの空き容量が少なくなると利用者に通知し、データ転送が実行されると転送済みのデータをメモリから自動で削除する構成を採用している。
【特許文献１】特開２００１−１２８１１３号公報
【発明の開示】
【発明が解決しようとする課題】
【０００４】
しかしながら、特許文献１に開示された技術を生体情報の機器間通信に適用すると次のような問題が生じる。
【０００５】
生体情報計測装置や携帯電話などの機器では、機器間通信に片方向（単方向）通信方式が用いられることが多い。片方向通信の場合、送信側は一方的にデータを送信することしかできず、受信側が正しくデータを受け取ったかどうかを確認することができない。それゆえ、特許文献１に開示された方法を用いると、受信側が正しくデータを受信できていなかったとしても、送信側は送信処理の終了とともに未送信データは無くなったと判断し、自動的にメモリの残量表示をクリアし、かつメモリ内のデータを削除してしまう。
【０００６】
したがって、従来技術の場合は、ユーザが生体情報の転送に失敗したことに気付かない、あるいは気付くのに遅れる可能性がある。しかも、たとえ転送の失敗に気付いたとしても、すでにデータが削除されているため、再転送することができない。また、一回の転送で計測装置内のデータを削除してしまうと、別の機器へのデータ送信ができないという問題も生じる。
【０００７】
生体情報は、人の健康に関わる重要な情報であるというだけでなく、定期的に計測し日々の値の変化を観察することが大切である。よって、上記のように、ユーザが知らないうちに情報が失われてしまう事態は避けなければならない。
【０００８】
本発明は上記実情に鑑みてなされたものであって、その目的とするところは、安全かつ確実に外部機器に対して生体情報を送信するための技術を提供することにある。
【課題を解決するための手段】
【０００９】
上記目的を達成するために本発明は、以下の構成を採用する。
【００１０】
本発明の生体情報計測装置は、生体情報を計測する生体情報計測手段と、前記生体情報計測手段によって計測された生体情報を記憶する記憶手段と、前記記憶手段に記憶されている生体情報を外部機器に対して送信する通信手段と、未送信の生体情報が存在することを示す未送信サインを表示するための表示手段と、ユーザの操作を受け付ける操作手段と、制御手段と、を備える。前記制御手段は、前記生体情報計測手段による計測が行われ前記記憶手段に新たな生体情報が追加された場合に前記未送信サインを表示し、ユーザにより所定のクリア操作が行われた場合にのみ前記未送信サインの表示を消す。
【００１１】
この構成によれば、ユーザが生体情報の計測を行うと、自動的に未送信サインが表示される。この未送信サインの表示は、未送信の生体情報の存在をユーザに認識させるとともに、生体情報を外部機器に送信する契機をユーザに与える効果がある。
【００１２】
この未送信サインは、生体情報の送信処理を行うだけでは消えず、ユーザにより所定のクリア操作が行われない限り表示されたままである。言い換えれば、未送信サインを消してよいかどうかの判断、未送信サインを消すタイミングの決定などは、ユーザ自身が行うことになる。これにより、外部機器が生体情報を正しく受信できたことをユーザが確認した後に未送信サインを消したり、予定していた複数の機器全てに生体情報を送信した後で未送信サインを消す、などの使い方がされるものと期待できる。したがって、生体情報の転送に失敗したことをユーザが気付かないとか、ユーザが知らないうちに情報が失われてしまうといった事態を可及的に防止でき、安全かつ確実な生体情報の送信が可能になる。
【００１３】
本発明は、生体情報計測装置から外部機器へのデータ送信が片方向（単方向）通信方式で行われる場合に特に好ましく適用できる。片方向通信では、データ送信が正しく行えたかどうかを送信側が確認できないため、データ送信の確実を保証するのが難しいからである。
【００１４】
前記通信手段は、所定のタイムアウト期間のあいだ前記生体情報を繰り返し送信することが好ましい。同一のデータを繰り返し送信することで、受信側のデータ受信機会を増やすことができるため、データ転送の確実性が高まるからである。
【００１５】
ところで、タイムアウト前に生体情報の受信完了を外部機器上で確認できた場合、ユーザとしては、送信処理を途中終了しようと何らかの操作を行うのが自然なアクションである。これを未送信サインのクリア操作に利用することも好ましい。すなわち、前記所定のタイムアウト期間が経過する前に前記操作手段がユーザにより操作されることを、前記所定のクリア操作として扱うのである。これによりユーザに特別な操作負担をかけることなく自然な動作の中で未送信サインのクリアを行わせることができ、ユーザビリティの向上を図ることができる。また生体情報の送信処理からの流れの中で未送信サインのクリアもできるため、未送信サインを誤って消してしまったり、逆に未送信サインを消し忘れてしまったりすることを防ぐ効果も得られる。
【００１６】
さらに、前記所定のクリア操作が、前記所定のタイムアウト期間の経過前に前記生体情報の繰り返し送信を終了するための操作を兼ねていることが好ましい。これにより、ワンアクションで未送信サインのクリアと送信処理の終了ができ、ユーザビリティのさらなる向上を図ることができる。
【００１７】
前記制御手段は、ユーザにより所定の削除操作が行われた場合にのみ前記記憶手段に記憶されている生体情報を削除することが好ましい。この構成によれば、生体情報の送信処理を行ったり未送信サインをクリアしたりするだけでは記憶手段内の生体情報は削除されず、ユーザにより所定の削除操作が行われない限り生体情報は残ったままである。言い換
えれば、生体情報を削除してよいかどうかの判断、生体情報を削除するタイミングの決定などは、ユーザ自身が行うことになる。したがって、ユーザが知らないうちに情報が失われてしまうといった事態を防止でき、安全かつ確実な生体情報の送信が可能になる。また、１または複数の外部機器に対して同じ生体情報を何度も送信できるようになるため、ユーザビリティの向上も図ることができる。
【００１８】
前記制御手段は、前記未送信サインの表示が消された後のみ前記所定の削除操作を受け付けることが好ましい。これにより、未送信の生体情報を誤って削除してしまう事態を防止することができる。
【００１９】
前記記憶手段は、Ｎ回（Ｎは１より大きい整数）の計測の生体情報を記憶可能であり、前記通信手段は、各生体情報が未送信か否かにかかわらず、毎回、前記記憶手段に記憶されているＮ回の計測の生体情報を送信することが好ましい。毎回全データを送信することにより、受信側のデータ受信機会を増やすことができるため、データ転送の確実性が高まる。しかも、送信時間にばらつきがあるとユーザの中には送信エラーや故障の発生を疑う者もでてくるが、上記構成のように送信データサイズが毎回同じであると送信時間も毎回ほぼ同じになるため、ユーザに上記懸念を与えなくて済み、結果としてユーザビリティの向上につながる。
【００２０】
前記通信手段は、前記生体情報の送信処理の状況を示すステイタス情報を前記外部機器に対して送信し、前記外部機器を介して前記送信処理の状況をユーザに報知することが好ましい。これにより、送信処理の進捗を容易に確認することができる。この構成は特に片方向通信の場合に有効である。片方向通信では、送信側と受信側の同期をとることができないからである。
【００２１】
本発明は、上記手段の少なくとも一部を有する生体情報計測装置として捉えてもよいし、生体情報計測装置と外部機器とを含む生体情報計測管理システムとして捉えてもよい。また、本発明は、上記処理の少なくとも一部を含む生体情報計測装置の制御方法、または、かかる方法を実現するためのプログラムやそのプログラムを記録した記録媒体として捉えることもできる。なお、上記手段および処理の各々は可能な限り互いに組み合わせて本発明を構成することができる。
【発明の効果】
【００２２】
本発明によれば、安全かつ確実に外部機器に対して生体情報を送信することができる。
【発明を実施するための最良の形態】
【００２３】
以下に図面を参照して、この発明の好適な実施の形態を例示的に詳しく説明する。以下の実施形態では、本発明に係る生体情報計測装置の例として、体重および体組成を計測可能な体重体組成計を例示する。ただし本発明の適用範囲はこれに限られず、たとえば、体重を計測する体重計、体組成を計測する体組成計、血圧を計測する血圧計、血糖値を計測する血糖計など、各種の生体情報計測装置に本発明を適用することができる。また生体情報の送信先となる外部機器として、以下の実施形態では携帯電話を例示しているが、携帯電話以外にもパーソナルコンピュータ、携帯端末、携帯音楽プレーヤなど、通信機能を有する各種機器を用いることが可能である。
【００２４】
＜第１実施形態＞
（体重体組成計の構成）
図１は、体重体組成計の外観を示している。
【００２５】
この体組成計は、概略、本体１と保持部（表示操作部）２とから構成される。本体１と
保持部２は、ケーブル３で接続されており、信号の送受信が可能である。なお、本体１と保持部２とを無線通信により接続する構成でも構わない。非使用時は、本体１の保持部収納部１３に、保持部２及びケーブル３を収納可能である。
【００２６】
本体１の上面には、４つの足用電極１０Ｌ、１０Ｒ、１１Ｌ、１１Ｒが設けられている。電極１０Ｌ、１０Ｒは、左右の足裏に電流を印加するための電極であり、電極１１Ｌ、１１Ｒは、左右の足裏から電圧を検知するための電極である。また本体１は複数の荷重センサから構成される体重測定部１２を内蔵している。
【００２７】
保持部２には、左右のグリップ２０Ｌ、２０Ｒ、表示部２１、操作部２２、通信部２３などが設けられている。表示部２１は、測定結果や各種ガイダンス（後述する未送信サイン含む）を表示する表示手段であり、例えばＬＣＤ（液晶ディスプレイパネル）から構成される。操作部２２は、ユーザの操作を受け付ける操作手段であって、この実施形態では、ユーザ選択ボタン２２Ａ、表示切替ボタン２２Ｂ、メモリボタン２２Ｃ、データ転送ボタン２２Ｄ、表示クリアボタン２２Ｅ、データ削除ボタン２２Ｆなどから構成される。グリップ２０Ｌ、２０Ｒにはそれぞれ、手のひらに電流を印加するための電極２４Ｌ、２４Ｒと、手のひらから電圧を検知するための電極２５Ｌ、２５Ｒとが設けられている。通信部２３は、計測した生体情報を携帯電話などの外部機器４に対して送信する通信手段である。通信方式は問わないが、ユーザビリティの観点からは無線通信であることが好ましい。本実施形態の通信部２３は、片方向通信方式の高速赤外線通信であるＩｒＳＳ（ＩｒＳｉｍｐｌｅＳｈｏｔ）を利用している。
【００２８】
図２は、体組成計の構成を示すブロック図である。図２に示すように、保持部２は、制御部２６、インピーダンス測定部２７、記憶部２８、電源２９などを内蔵している。制御部２６は、体組成計の各構成要素を制御したり、体組成の推定処理などの演算を行う制御手段であって、具体的にはプログラムを実行するＣＰＵとメモリなどから構成される。インピーダンス測定部２７は、印加した電流と検知された電圧とに基づいて体内のインピーダンスを計測する手段である。本実施形態では、このインピーダンス測定部２７と上述した体重測定部１２とが、生体情報を計測する生体情報計測手段に対応する。
【００２９】
記憶部２８は、不揮発性メモリなどの記憶媒体から構成される。記憶部２８には、体重測定部１２およびインピーダンス測定部２７によって計測された生体情報がその計測日時とともに、ユーザ別に記憶される。本実施形態では、複数（４人）のユーザを登録可能であり、各ユーザについて３０回分の計測データを記憶可能である。なお記憶部２８には、各ユーザの身体特定化情報である年齢、身長、性別も記憶される。
【００３０】
（体重体組成計の動作）
図３のフローチャートに沿って、体重体組成計の動作を説明する。
【００３１】
ユーザが体組成計の電源をＯＮすると、制御部２６が体重計の校正処理（ゼロキャリブレーション）を実行する（Ｓ１０）。校正完了後、ユーザ選択可能となる。ユーザがユーザ選択ボタン２２Ａで個人番号（１〜４のいずれか）を指定すると（Ｓ１１）、制御部２６は、指定された個人番号に関連付けられた身体特定化情報を記憶部２８から読み込む（Ｓ１２）。
【００３２】
ユーザが本体１の上に乗り静止すると、体重測定部１２によって体重の計測が行われる（Ｓ１３）。この計測値は制御部２６に入力される。続いて、インピーダンス測定部２７によって生体インピーダンスの計測が行われる（Ｓ１４）。この計測値は制御部２６に入力される。
【００３３】
制御部２６は、Ｓ１３で計測した体重と、Ｓ１４で計測した生体インピーダンスと、記憶部２８から読み込んだユーザの身体特定化情報に基づいて、体組成を推定する（Ｓ１５）。体組成の推定は公知の手法を用いればよい。ここでは、体組成として、体脂肪率、皮下脂肪率、骨格筋率を算出する。またこれらの算出結果に基づいて、内臓脂肪レベル、基礎代謝、体年齢、ＢＭＩなど、健康管理やダイエットに有益な指針情報を求める。
【００３４】
次に、制御部２６は、体重、体脂肪率、皮下脂肪率、骨格筋率、内臓脂肪レベル、基礎代謝、体年齢、ＢＭＩなどの生体情報を、計測日時とともに記憶部２８に保存する（Ｓ１６）。このとき制御部２６は、図４に示すように、記憶部２８に保存されているデータの数を調べ、３０個より少なければ（Ｓ１６０；ＮＯ）、前回のデータを保存した番地（アドレス）の次の番地に今回のデータを保存し（Ｓ１６１）、３０個に達していたら（Ｓ１６０；ＹＥＳ）、最も古いデータが保存されている番地に今回のデータを上書きする（Ｓ１６２）。このような保存制御により、（ユーザ自身が削除しない限り）過去３０回分の計測データが記憶部２８に保持されることとなる。
【００３５】
次に、制御部２６は、図５に示すように、計測した生体情報（体重）を表示部２１に表示するとともに（Ｓ１７）、未送信サイン５０の表示を更新する（Ｓ１８）。この未送信サイン５０は、外部機器４への転送が行われていない生体情報（以下単に「未送信データ」ともいう）が記憶部内に存在することを示すものである。本実施形態では、図６に示すように、未送信データの数に応じてバーの長さが変化するインジケータ表示を採用している。これにより、ユーザは未送信データがどの程度蓄積されているかを容易に確認することができる。なお後述するように、未送信サイン５０の表示を消すには、ユーザが所定のクリア操作を行う必要がある。
【００３６】
その後、制御部２６は、ユーザのボタン操作（イベント入力）を監視する（Ｓ１９）。ボタン操作が所定時間以上行われないか、電源スイッチが押下された場合には（Ｓ２１；ＹＥＳ）、制御部２６は体組成計の電源をオフにする。一方、ユーザによりいずれかのボタンが押下された場合には（Ｓ１９；ＹＥＳ）、制御部２６は当該ボタンに割り当てられたイベント処理を実行する（Ｓ２０）。図７にイベント処理の詳細フローを示す。
【００３７】
（１）表示切替ボタン２２Ｂが押された場合（Ｓ２００）、制御部２６は、体重→体脂肪率→内臓脂肪レベル→皮下脂肪率→骨格筋率→基礎代謝→体年齢→ＢＭＩ→体重→・・・のように、表示項目を順に切り替える（Ｓ２０５）。
【００３８】
（２）メモリボタン２２Ｃが押された場合（Ｓ２１０）、制御部２６は、記憶部２８に保存されている過去のデータ（前回値）を読み出し、表示部２１に表示する（Ｓ２１５）。もう一度メモリボタン２２Ｃが押されると、今回のデータに戻る。
【００３９】
（３）データ転送ボタン２２Ｄが押された場合（Ｓ２２０）、制御部２６は、外部機器４への生体情報の転送処理を実行する（Ｓ２２５）。図８に転送処理の詳細フローを示す。制御部２６は、記憶部２８から全３０回分のデータを読み出し（Ｓ１００）、通信部２３を介して全データを一括送信する（Ｓ１０１）。このとき、制御部２６は、所定のタイムアウト期間（例えば３０秒）が経過するか、ユーザにより転送が中断されるまで、繰り返しデータ送信を行う（Ｓ１０１、Ｓ１０２）。同一のデータを繰り返し送信することで、受信側のデータ受信機会を増やすことができるため、データ転送の確実性が高まるからである。図９はデータ転送時の画面表示例を示している。表示部２１にはデータ転送中であることを示す「転送中」のアイコンが表示される。また外部機器４はデータを受信すると、その表示部に転送が終了した旨を表示する。
【００４０】
（４）表示クリアボタン２２Ｅが押された場合（Ｓ２３０）、制御部２６は、表示部２
１の未送信サイン５０の表示を消す（Ｓ２３５）。このように本実施形態では、データ転送を行うだけで未送信サイン５０が自動で消えることはない。ユーザにより所定のクリア操作が行われない限り未送信サイン５０は表示されたままである。
【００４１】
（５）データ削除ボタン２２Ｆが押された場合（Ｓ２４０）、制御部２６は、記憶部２８に保存されている当該ユーザの全データを一括削除する（Ｓ２４５）。このように本実施形態では、データ転送を行うだけで保存データが自動で削除されることはない。ユーザにより所定の削除操作が行われない限りデータは記憶部２８内に保持されたままである。
【００４２】
（本実施形態の利点）
本実施形態の構成によれば、ユーザが生体情報の計測を行うと、自動的に未送信サイン５０が表示される。この未送信サイン５０の表示は、未送信の生体情報の存在をユーザに認識させるとともに、生体情報を外部機器４に送信する契機をユーザに与える効果がある。
【００４３】
この未送信サイン５０は、ユーザにより所定のクリア操作が行われない限り表示されたままである。つまり、未送信サイン５０を消してよいかどうかの判断、未送信サイン５０を消すタイミングの決定などは、ユーザ自身が行うことになる。これにより、外部機器４が生体情報を正しく受信できたことをユーザが確認した後に未送信サイン５０を消したり、予定していた複数の機器全てに生体情報を送信した後で未送信サイン５０を消す、などの使い方がされるものと期待できる。したがって、生体情報の転送に失敗したことをユーザが気付かないとか、ユーザが知らないうちに情報が失われてしまうといった事態を可及的に防止でき、安全かつ確実な生体情報の送信が可能になる。
【００４４】
さらに本実施形態では、生体情報の送信処理を行ったり未送信サイン５０をクリアしたりするだけでは記憶部内の生体情報は削除されず、ユーザにより所定の削除操作が行われない限り生体情報は残ったままである。言い換えれば、生体情報を削除してよいかどうかの判断、生体情報を削除するタイミングの決定などは、ユーザ自身が行うことになる。したがって、ユーザが知らないうちに情報が失われてしまうといった事態を防止でき、安全かつ確実な生体情報の送信が可能になる。また、１または複数の外部機器に対して同じ生体情報を何度も送信できるようになるため、ユーザビリティの向上も図ることができる。
【００４５】
本実施形態では、生体情報の通信に片方向通信方式のＩｒＳＳを利用しているため、データ送信が正しく行えたかどうかを送信側が確認できず、データ送信の確実を保証するのが難しい。しかし上記のように、未送信サインのクリアや保存データの削除の判断をユーザに任せることで、重要情報である生体情報を安全かつ確実に取り扱うことができるようになるとともに、ユーザビリティの向上を図ることが可能になる。
【００４６】
また、毎回全３０回分のデータを送信することにより、受信側のデータ受信機会を増やすことができるため、データ転送の確実性が高まる。しかも、送信時間にばらつきがあるとユーザの中には送信エラーや故障の発生を疑う者もでてくるが、本実施形態のように送信データサイズが毎回同じであると送信時間も毎回ほぼ同じになるため、ユーザに上記懸念を与えなくて済み、結果としてユーザビリティの向上につながる。
【００４７】
＜第２実施形態＞
データ送信がタイムアウトする前に生体情報の受信完了を外部機器４上で確認できた場合、ユーザとしては、体重体組成計における送信処理を途中終了しようと何らかの操作を行うのが自然なアクションである。本実施形態では、これを未送信サインのクリア操作に利用する。
【００４８】
図１０は本発明の第２実施形態における転送処理の詳細フローを示している。その他の構成および処理は第１実施形態と同様である。
【００４９】
データ転送ボタン２２Ｄが押されると、制御部２６は、記憶部２８から全３０回分のデータを読み出し（Ｓ１１０）、通信部２３を介して全データを一括送信する（Ｓ１１１）。その後、制御部２６は、データ送信を繰り返しつつ、タイムアウト期間（例えば３０秒）経過前に所定のボタン操作が行われるか否かを監視する（Ｓ１１２）。ここで受け付けるボタン操作としては、データ転送ボタン２２Ｄの再押下でもよいし、表示クリアボタン２２Ｅの押下でもよいし、また任意のボタン押下でもよい。さらに誤操作を防ぐためにボタンの長押しを要求してもよい。
【００５０】
ユーザによる所定のボタン操作が行われた場合（Ｓ１１２；ＹＥＳ）、制御部２６は、外部機器４へのデータ転送が正しく行われたものとみなし、データ送信を終了するとともに、未送信サイン５０をクリアする（Ｓ１１３）。
【００５１】
これによりユーザに操作負担をかけることなく自然な動作の中で未送信サインのクリアを行わせることができ、ユーザビリティの向上を図ることができる。また生体情報の送信処理からの流れの中で未送信サインのクリアができるため、未送信サインを誤って消してしまったり、逆に未送信サインを消し忘れてしまったりすることを防ぐことができる。しかも、ワンアクションで未送信サインのクリアと送信処理の中断ができ、ユーザビリティのさらなる向上を図ることができる。
【００５２】
なお、データ送信開始直後にボタンが押下されると、データの転送が正しく行われないうちに処理を終了してしまうおそれがある。そこで、データ送信開始から一定期間（例えば７秒間）のあいだボタンの押下を検知しないようにしてもよい。
【００５３】
＜第３実施形態＞
前述のように、片方向通信を利用した場合には、送信側と受信側の同期をとることができないため、データ転送の確実を保証するのが難しい。そこで本実施形態の体組成計では、送信処理の状況を示すステイタス情報を外部機器に対して送信し、外部機器を介して送信処理の状況をユーザに報知する。これは、データ転送の最中は、ユーザは体組成計ではなく外部機器のほうを見ている蓋然性が高いことに着目したものである。
【００５４】
図１１は第３実施形態における転送処理の詳細フローを示している。その他の構成および処理は第１実施形態と同様である。
【００５５】
データ転送ボタン２２Ｄが押されると、制御部２６は、まず「転送準備中」を示すステイタス情報を通信部２３を介して送信する（Ｓ１２０）。外部機器４がこのステイタス情報を受信し表示することで、ユーザに対し「転送準備中」であることを通知することができる。次に、制御部２６は、記憶部２８からデータの読み出しを完了し転送準備が整うと（Ｓ１２１）、「転送開始」を示すステイタス情報を送信する（Ｓ１２２）。このステイタス情報が外部機器４に表示されることで、ユーザはデータの転送が開始されることを知ることができる。そして、データ送信が終了すると（Ｓ１２３、Ｓ１２４；ＹＥＳ）、制御部２６は、「転送終了」を示すステイタス情報を送信する（Ｓ１２５）。このステイタス情報が外部機器４に表示されることで、ユーザはデータの転送が終了したことを知ることができる。
【００５６】
以上述べた構成によれば、ユーザは送信処理の進捗を外部機器上で容易に確認することができ、ユーザビリティのさらなる向上を図ることができる。
【００５７】
＜第４実施形態＞
図１２は第４実施形態におけるデータ削除処理の詳細フローを示している。その他の構成および処理は前述の実施形態と同様である。
【００５８】
データ削除ボタン２２Ｆが押下されると（Ｓ２４０；ＹＥＳ）、制御部２６は、未送信サインがクリアされているか否かを調べる（Ｓ２４１）。そして、未送信サインがクリアされている（非表示である）場合には（Ｓ２４１；ＹＥＳ）、制御部２６は保存データを削除し（Ｓ２４５）、未送信サインが表示されている場合には保存データの削除は行わない（Ｓ２４１；ＮＯ）。
【００５９】
このように未送信サインの表示が消された後のみデータの削除操作を受け付けるようにしたことで、未送信の生体情報を誤って削除してしまう事態を防止することができる。
【００６０】
＜その他＞
なお、上記実施形態は本発明の一具体例を例示したものにすぎない。本発明の範囲は上記実施形態に限られるものではなく、その技術思想の範囲内で種々の変形が可能である。
【００６１】
例えば上記実施形態では片方向通信方式の高速赤外線通信を利用したが、通信方式はこれに限らず、双方向通信を利用してもよいし、赤外線通信以外の通信方式を利用してもよい。
【００６２】
また上記実施形態では、生体情報を計測した後にデータ転送を行うフローを示したが、データ転送のタイミングはこれに限らない。例えば生体情報を計測しなくても、データ転送ボタンを押下すればいつでもデータ転送が実行されるようにしてもよい。
【００６３】
また操作部のボタン構成は上記実施形態のものに限らない。例えば、１つのボタンに複数の機能を割り当てることにより、ボタンの数を減らすことも可能である。
【図面の簡単な説明】
【００６４】
【図１】図１は、体重体組成計の外観を示す図である。
【図２】図２は、体重体組成計の構成を示すブロック図である。
【図３】図３は、体重体組成計のメインの動作フローを示すフローチャートである。
【図４】図４は、生体情報の保存処理の詳細フローを示すフローチャートである。
【図５】図５は、表示部の表示例を示す図である。
【図６】図６は、未送信サインの表示例を示す図である。
【図７】図７は、第１実施形態におけるイベント処理の詳細フローを示すフローチャートである。
【図８】図８は、第１実施形態における転送処理の詳細フローを示すフローチャートである。
【図９】図９は、データ転送時の画面表示例を示す図である。
【図１０】図１０は、第２実施形態における転送処理の詳細フローを示すフローチャートである。
【図１１】図１１は、第３実施形態における転送処理の詳細フローを示すフローチャートである。
【図１２】図１２は、第４実施形態における削除処理の詳細フローを示すフローチャートである。
【符号の説明】
【００６５】
１  本体
２  保持部
３  ケーブル
４  外部機器
１０Ｌ、１０Ｒ、１１Ｌ、１１Ｒ  足用電極
１２  体重測定部
１３  保持部収納部
２０Ｌ、２０Ｒ  グリップ
２１  表示部
２２  操作部
２２Ａ  ユーザ選択ボタン
２２Ｂ  表示切替ボタン
２２Ｃ  メモリボタン
２２Ｄ  データ転送ボタン
２２Ｅ  表示クリアボタン
２２Ｆ  データ削除ボタン
２３  通信部
２４Ｌ、２４Ｒ、２５Ｌ、２５Ｒ  手用電極
２６  制御部
２７  インピーダンス測定部
２８  記憶部
２９  電源
５０  未送信サイン
【図１】
2010005276.tif 000003
【図２】
2010005276.tif 000004
【図３】
2010005276.tif 000005
【図４】
2010005276.tif 000006
【図５】
2010005276.tif 000007
【図６】
2010005276.tif 000008
【図７】
2010005276.tif 000009
【図８】
2010005276.tif 000010
【図９】
2010005276.tif 000011
【図１０】
2010005276.tif 000012
【図１１】
2010005276.tif 000013
【図１２】
2010005276.tif 000014